(57)【要約】【課題】軽くてコンパクトに折りたたみが可能であり、収納も便利なパッド付きマットレスを提供する。【解決手段】複数の袋(1a-1c,2a-2c)を一列に配列し、袋内にはクッション材を入れて折りたたみ可能なマットレス(1,2)とし、マットレス(1,2)のいずれかの一辺に沿って、幅が袋の幅よりも広いパッド(3,4)を取り外し可能に取り付けて一体化し、パッドの取り付け位置が外側になるようにマットレスを複数枚接して配置し、パッドで複数枚のマットレスの表面側を交互に覆うか、又は少なくとも一枚のパッドでマットレスの表面側を覆い、残りのパッドでマットレスの裏面側を覆うことにより、複数枚のマットレス(1,2)を合体させる。【選択図】  図１
2008183366.tif 000002
【特許請求の範囲】
【請求項１】
マットレスとパッドを一体化した折りたたみ可能なパッド付きマットレスであって、
複数の袋を一列に配列し、前記袋内にはクッション材を入れて折りたたみ可能なマットレスとし、
前記マットレスのいずれかの一辺に沿って、幅が前記袋の幅よりも広いパッドを取り外し可能に取り付けて一体化し、
前記パッドの取り付け位置が外側になるように前記マットレスを複数枚接して配置し、
前記パッドで前記複数枚のマットレスの表面側を交互に覆うか、又は少なくとも一枚のパッドで前記マットレスの表面側を覆い、残りのパッドで前記マットレスの裏面側を覆うことにより、前記複数枚のマットレスを合体させたことを特徴とするパッド付きマットレス。
【請求項２】
前記パッドは、ファスナー、ボタン、ホック、フック、又は面ファスナーによってマットレスに取り付けられている請求項１に記載のパッド付きマットレス。
【請求項３】
前記マットレスは、２〜６つ折りに折りたたみ可能な請求項１又は２に記載のパッド付きマットレス。
【請求項４】
前記クッション材は、樹脂発泡体、固綿、ウェブ綿、これらの組み合わせ、又は固綿層に樹脂発泡体層を接着したクッション材である請求項１〜３のいずれかに記載のパッド付きマットレス。
【請求項５】
前記パッド付きマットレスは、敷布団、敷パッド、介護マットレス、プレイマット、又はベッドマットレスである請求項１〜４のいずれかに記載のパッド付きマットレス。
【請求項６】
請求項１〜５のいずれか１項に記載の複数枚のパッド付きマットレスに使用するための１ユニットのパッド付きマットレスであって、
複数の袋を一列に配列し、前記袋内にはクッション材を入れて折りたたみ可能なマットレスとし、
前記マットレスのいずれかの一辺に沿って、幅が前記袋の幅よりも広いパッドを取り外し可能に取り付けて一体化したことを特徴とするパッド付きマットレス。
【発明の詳細な説明】
【技術分野】
【０００１】
本発明は、コンパクトに折りたたみが可能であり、パッドは取り外して洗濯が可能なパッド付きマットレスに関する。
【背景技術】
【０００２】
従来から、敷布団、敷パッド、介護マットレス、又はベッドマットレス等の詰物体は、一般生活の中で多用されている。これらの詰物体は、暖かさ、弾発性（クッション性）、洗濯容易性等が必要である。加えて、老人や身体の弱い人にとって、取り扱い性が容易で収納もコンパクトで軽量なものが要求される。下記特許文献１には３つ折のマットレスが提案されている。下記特許文献２には３つ折のマットレス兼用着脱自在の敷き布団が提案されている。３つ折のマットレスは通常の市販品にもなっている。
【特許文献１】特開平８−２８０４８８号公報
【特許文献２】特開平１１−１２８０２８号公報
【発明の開示】
【発明が解決しようとする課題】
【０００３】
しかし、前記特許文献１〜２のような３つ折りマットレスは、収納時に嵩が大きく、広い収納スペースが必要であった。マンションなどの住宅が狭い場合は、広い収納スペースが取れず、収納するのに問題があった。また、パッド付きマットレスにすると、全体の重量が重くなり、老人や子供、障害者には収納作業がたいへんであるという問題があった。
【０００４】
本発明は、前記従来の問題を解決するため、軽くてコンパクトに折りたたみが可能であり、収納も便利なパッド付きマットレスを提供する。
【課題を解決するための手段】
【０００５】
本発明のパッド付きマットレスは、マットレスとパッドを一体化した折りたたみ可能なパッド付きマットレスであって、複数の袋を一列に配列し、前記袋内にはクッション材を入れて折りたたみ可能なマットレスとし、前記マットレスのいずれかの一辺に沿って、幅が前記袋の幅よりも広いパッドを取り外し可能に取り付けて一体化し、前記パッドの取り付け位置が外側になるように前記マットレスを複数枚接して配置し、前記パッドで前記複数枚のマットレスの表面側を交互に覆うか、又は少なくとも一枚のパッドで前記マットレスの表面側を覆い、残りのパッドで前記マットレスの裏面側を覆うことにより、前記複数枚のマットレスを合体させたことを特徴とする。
【０００６】
本発明の別のパッド付きマットレスは、前記複数枚のパッド付きマットレスに使用するための１ユニットのパッド付きマットレスであって、複数の袋を一列に配列し、前記袋内にはクッション材を入れて折りたたみ可能なマットレスとし、前記マットレスのいずれかの一辺に沿って、幅が前記袋の幅よりも広いパッドを取り外し可能に取り付けて一体化したことを特徴とする。
【発明の効果】
【０００７】
本発明のパッド付きマットレスは、複数に分割でき、各々を折りたたむことができるので、各単体の重量と体積は小さく、収納するのに便利である。また、パッドは取り外すことができるので、洗濯も可能である。さらに、就寝使用時にはパッドで複数枚のマットレスの表面を交互に覆うか、又は少なくとも一枚のパッドで表面を覆い、残りのパッドで裏面を覆い、複数枚のマットレスを合体させることにより、人体の動きがあっても袋列は分離することなく一体化を保つことができる。すなわち、複数枚のマットレス同士を結合する特別な手段は不要である。
【発明を実施するための最良の形態】
【０００８】
以下、図面を用いて説明する。本発明のパッド付きマットレスは、図１に示すように複数の袋１ａ〜１ｃ，２ａ〜２ｃを一列に配列する。各一列の袋１，２は上側又は下側のどちらか一方のみ連続させておき、他の部分は分離させておく。例えば１ａと１ｂ間は上側のみ連続、１ｂと１ｃ間は下側のみ連続させてあり、他の部分は分離させてある。これにより３つに折りたたむことができる。
【０００９】
各袋１ａ〜１ｃ，２ａ〜２ｃ内にはクッション材を入れてマットレスとする。
【００１０】
袋列（マットレス）１，２の長さ方向に沿った一端には、幅が前記袋の幅よりも広いパッド３，４をそれぞれ取り外し可能に取り付ける。パッドの好ましい大きさは、複数枚のマットレス全面を覆う面積である。マットレスにパッドを取り付ける手段としては、例えばファスナー（チャック）５，６がある。その他、ボタン、ホック、フック、面ファスナーなどを使用しても良い。
【００１１】
次に図２Ａ，Ｂに示すように、パッド３，４が外側になるように２つの袋列（マットレス）１，２を接して配置し、パッド３，４で２つの袋列（マットレス）１，２の表面を交互に覆う。矢印ａはパッド４を覆う方向を示している。
【００１２】
図２Ａ，Ｂのほかに、図３に示すように一方のパッド３で２つの袋列（マットレス）１，２の表面を覆い、他方のパッド４で２つの袋列（マットレス）１，２の裏面を覆うことにより、２つの袋列（マットレス）１，２を合体させてもよい。このようにすると、マットレスの上で人体が横たわり、その動きがあっても袋列は分離することなく一体化を保つことができる。すなわち、図２Ｂ、図３に示す＋Ｘと−Ｘのように水平方向の力は相殺され、袋列１，２は分離しない。その結果、２つの袋列（マットレス）同士を結合する特別な手段は不要となる。
【００１３】
次に図４は、図２Ａ，Ｂで示すパッド３，４で２つの袋列（マットレス）１，２の表面を交互に覆った例の斜視図である。これが就寝時の使用例である。
【００１４】
図５〜８は使用後の収納方法を示す図である。まず図５のようにパッド３を袋列１の長さ方向に沿って２つに折り、次に図６のように袋１ａを矢印ｂのように上側に折りたたみ、袋１ｃを矢印ｃのように下側に折りたたむ。このようにして折りたたんだ後の側面図が図７であり、斜視図が図８である。
【００１５】
次に図９は、図１〜８のものとチャック５，６の位置を変えた例を示す。折りたたみ可能なマットレス１，２を縦方向に接して配置し、チャック５で一体化されたパッド（パッド４で隠れて見えない）でマットレス１，２の上を覆い、その上にチャック６で一体化されたパッド４で覆っている。この例のように、マットレスとパッドとを一体化するチャックは、各マットレスの外側の一辺にあれば、複数のマットレスは結合できる。
【００１６】
上記の例においては、３つ折りの例を示したが、２〜６つ折りに折りたたむようにしても良い。
【００１７】
パッド３，４の材質は通常の敷き布団用パッド、ベッドパッドなどどのようなものでも良い。例えば、人体と接する面が起毛ニットなどのパイル布帛であると、感触及び寝心地が良く、かつ滑りにくいので袋列１，２の一体性がさらに高くなるので好ましい。他にブロード組織等の織物、通常のプレーンな編み物も使用できる。
【００１８】
前記クッション材は、通常のマットレスに使用されるものであればどのようなものでも良い。例えば、樹脂発泡体（ポリウレタンフォームなど）、固綿、ウェブ綿、これらの組み合わせ、又は固綿層に樹脂発泡体層を接着したクッション材などである。
【００１９】
次に図１０は、子供達が遊びのために使用するプレイマット１０の使用時の例である。このプレイマット１０は、幼稚園、保育園、託児所、デパート、量販店、集合施設の子供の遊び場などで使用される。図１０に示すように、マットレス１１，１２，１３，１４の４枚を配置し、全体の大きさは例えば縦横ともに４ｍとしている。各マットレスにはチャック１６〜１９により各々パッドが一体化されている。図１０には表面を覆ったパッド１５を示している。図１０に示す使用時の例から、使用後折りたたみをするには、マットレス１１，１２，１３，１４を各々２つ折とし、各マットレスに一体化されているパッドを一緒に折りたたむ。このようにして、使用しないときにはコンパクトに折りたたんでおくことができる。
【００２０】
本発明のパッド付きマットレスは、敷布団、敷パッド、介護マットレス、プレイマット、又はベッドマットレスなどに有用である。
【実施例】
【００２１】
以下、実施例を用いて本発明をさらに具体的に説明する。
【００２２】
（実施例１）
図１〜８に示すパッド付きマットレスを作製した。
（１）マットレスの作製
各袋１ａ〜１ｃは、織物を使用して長さ６５ｃｍ、幅５０ｃｍ、厚さ６ｃｍの袋を縫製し、長さ方向の一端にファスナー５を取り付けた。各袋の内部には、下側が厚さ３ｃｍの固綿（かたわた）層と、その上に厚さ３ｃｍのポリウレタンフォーム層を接着剤で一体化したクッション材を入れた。各袋２ａ〜２ｃも同様にして作製した。クッション材を入れた袋列１つの重量は２．７ｋｇであった。
（２）バッドの作製
パッド３，４として、長さ１９５ｃｍ、幅１００ｃｍのものを次のようにして作製した。
Ａ．表生地としてコットン１００重量％の起毛ニット生地（目付け２１５ｇ／ｍ2）を用いた。
Ｂ．中綿としてウール１００重量％カードウェブをシート状に加工した中綿（目付け３００ｇ／ｍ2）を用いた。
Ｃ．裏生地としてポリエステル６５重量％、コットン３５重量％の織物生地（目付け１００ｇ／ｍ2）を用いた。
【００２３】
上記Ａ〜Ｃの材料を重ね合わせて、多針キルティング（キルティング装置:HASHIMA QUILTING MACHINE 88NC）にて縫製加工を行った。重量は１．５５ｋｇ／枚であった。
【００２４】
製品の外観は、キルトの間に形成される島の形状は対角線寸法が７５mm×７５mm菱形形状であり、厚みは約５ｍｍであった。長さ方向の一端にファスナー５を取り付けた。
（３）パッド付きマットレスの作製
上記のように作製したパッド３を袋列１にファスナーで取り付け、パッド４を袋列２にファスナーで取り付けた。このようにして図１に示すパッド付きマットレスを作製した。
（４）着用試験
得られたパッド付きマットレスを図２Ａ，Ｂ，及び図４のように組み上げ、実際に敷布団に使用して就寝し着用試験したところ、自然な寝心地の維持ができ、寝心地は良かった。
（５）折りたたみ
図５〜８に示すように折りたたみ収納性を調べたところ、全体の収納体積は１枚物とほぼ同一であるが、本実施例品は２分割できるため、各々の体積は約半分となり、収納性は良好であった。折りたたみ後の大きさは、長さ６５ｃｍ、幅５０ｃｍ、厚さ２５ｃｍであった。また、重量は全体が４．２５Ｋｇであり、軽くて収納作業性が良好であった。
【００２５】
なお、前記実施例ではシングルの敷布団又は敷パッドを作成したが、セミダブルは幅を６０ｃｍ、ダブルは幅を７０ｃｍにする。セミダブルやダブルの敷布団又は敷パッドで使用する場合、マットレスは別々であるので、隣に寝る人の動きが伝わらず、寝心地の良いものとすることができる。
【図面の簡単な説明】
【００２６】
【図１】図１は本発明の一実施例におけるパッド付きマットレスの斜視図である。
【図２】図２Ａは同パッド付きマットレスの使用方法を示す斜視図、図２Ｂは同側面図である。
【図３】図３は本発明の別の実施例における同パッド付きマットレスの使用方法を示す側面図である。
【図４】図４は本発明の一実施例におけるパッド付きマットレスの使用状態を示す斜視図である。
【図５】図５は同折りたたみ工程を示す斜視図である。
【図６】図６は同折りたたみ工程を示す斜視図である。
【図７】図７は同折りたたんだ後の側面図である。
【図８】図８は同折りたたんだ後の斜視図である。
【図９】図９は本発明の別の実施例におけるパッド付きマットレスの使用状態を示す平面図である。
【図１０】図１０は本発明のさらに別の例におけるプレイマットの使用状態を示す平面図である。
【符号の説明】
【００２７】
１，２，１１，１２，１３，１４  マットレス
１ａ〜１ｃ，２ａ〜２ｃ  袋
３，４，１５  パッド
５，６，１６，１７，１８，１９  ファスナー（チャック）
１０  プレイマット
【図１】
2008183366.tif 000003
【図２】
2008183366.tif 000004
【図３】
2008183366.tif 000005
【図４】
2008183366.tif 000006
【図５】
2008183366.tif 000007
【図６】
2008183366.tif 000008
【図７】
2008183366.tif 000009
【図８】
2008183366.tif 000010
【図９】
2008183366.tif 000011
【図１０】
2008183366.tif 000012